(57)【要約】【課題】商用電源が無い場所に再送信装置を設置する場合に、電源線を設置することなく動作電源を確保できる再送信システムを提供する。【解決手段】再送信装置２は山間部の山頂など商用電源の設備の無い場所に設置され、アンテナ１で受信した地上デジタル放送波をアナログ放送波に変換し、同軸ケーブル３によりアナログテレビ放送を受信する家４ａ、４ｂ、…等へ再送信する。同軸ケーブル３には、商用電源６を調達できる場所において、電源重畳器５及び電源装置７を設ける。電源装置７は、商用電源６をＡＣ９０Ｖ以下の電圧に変換して電源重畳器５に供給する。電源重畳器５は、電源装置７から供給される交流電源を同軸ケーブル３により重畳して再送信装置２へ送出する。再送信装置２は、電源重畳器５から同軸ケーブル３を介して供給される交流電源を所定レベルの直流電圧に変換し、各ユニットに動作電源として供給する。【選択図】図１
2010288152.tif 000002
【特許請求の範囲】
【請求項１】
地上デジタル放送波を再送信装置で受信しアナログ放送波に変換して伝送ラインにより再送信する再送信システムであって、
前記伝送ライン上において商用電源の調達可能な場所に設けられ、前記商用電源を９０Ｖ以下の交流電源に変換して前記伝送ライン上の再送信信号に重畳し、前記再送信装置へ送出する交流電源重畳手段と、
前記再送信装置に設けられ、前記交流電源重畳手段から伝送ラインを介して供給される交流電源を再送信信号から分離する電源分離手段と、
前記電源分離手段により分離された交流電源を直流電源に変換し、再送信装置の各ユニットに動作電源として供給する電源回路と
を具備することを特徴とする再送信システム。
【発明の詳細な説明】
【技術分野】
【０００１】
本発明は、テレビ放送の共同受信システムやＣＡＴＶシステム等において、地上デジタル放送波を山間部等に設置された再送信装置で受信し、アナログ放送波に変換して再送信する再送信システムに関する。
【背景技術】
【０００２】
近年、世界的にテレビ放送のデジタル化が進行している。わが国では地上デジタル放送転換のため、２０１１年７月２４日にアナログテレビ放送の停波が予定されており、それ以降はアナログテレビ受像機ではテレビ放送を受信できなくなる。地上デジタル放送を受信するためには、デジタル放送に対応したテレビ受像機を購入するか、地上デジタル・チューナを購入する必要がある。
【０００３】
しかしながら、病院、学校、ホテル等の施設に既に導入されているアナログ放送対応の構内テレビ受像機については、その多数設置されているテレビ受像機を一度に交換・更新することは多額の設備投資になる。また、一般家庭等においても、デジタル放送に対応したテレビ受像機を購入したり、地上デジタル・チューナを購入することは容易ではない。
【０００４】
そこで、地上デジタル放送波をアナログ放送波に変換して再送信する再送信装置（共同視聴設備）を設置し、アナログ放送が停波された後においても、アナログ放送対応のテレビ受像機によるテレビ放送の受信を可能とすることが行われている。
【０００５】
上記再送信装置は、従来では商用電源の導入が容易な比較的都市部に設置されている。このため再送信装置は、商用電源を受電し、装置内部で直流電源に変換して各ユニットに供給するようにしている。
【０００６】
しかし、上記再送信装置は、比較的都市部に設置するだけでなく、山間部等に設置することも要望されている。再送信装置を山間部に設置する場合には、電波を安定して受信できる高台に設置する必要がある。このような山間部の高台には、商用電源が設備されていない場合が多く、このため再送信装置に供給する電源線を設置する必要があり、設置工事に費用が掛かる等の問題があった。
【０００７】
また、本発明に関連する公知技術として、同一チャンネル入力時のビート障害を防止するゴースト除去テレビ信号再送信装置（例えば、特許文献１参照。）や、受信レベルの低いチャンネルについても確実に受信し、所定の信号レベルに調整して再送信する地上デジタル放送再送信装置（例えば、特許文献２参照。）、出力信号のレベル制御を行うことができると共に、出力周波数の変更時に他チャンネルへの影響を防止するようにしたＣＡＴＶ用変調装置及びヘッドエンド装置（例えば、特許文献３参照。）が知られている。
【先行技術文献】
【特許文献】
【０００８】
【特許文献１】特開平７−１６２３２４号公報
【特許文献２】特開２００６−２２９５９０号公報
【特許文献３】特開２００５−７９７９６号公報
【発明の概要】
【発明が解決しようとする課題】
【０００９】
上記のように従来の再送信装置は、商用電源が設備されていない山間部の高台等に設置する場合には、電源線についても設置する必要があり、設置工事に費用が掛かる等の問題があった。
【００１０】
本発明は上記の課題を解決するためになされたもので、山間部の高台等、商用電源が設備されていない場所に再送信装置を設置する場合においても、電源線を設置することなく動作電源を確保することができる再送信システムを提供することを目的とする。
【課題を解決するための手段】
【００１１】
本発明は、地上デジタル放送波を再送信装置で受信しアナログ放送波に変換して伝送ラインにより再送信する再送信システムであって、
前記伝送ライン上において商用電源の調達可能な場所に設けられ、前記商用電源を９０Ｖ以下の交流電源に変換して前記伝送ライン上の再送信信号に重畳し、前記再送信装置へ送出する交流電源重畳手段と、前記再送信装置に設けられ、前記交流電源重畳手段から伝送ラインを介して供給される交流電源を再送信信号から分離する電源分離手段と、前記電源分離手段により分離された交流電源を直流電源に変換し、再送信装置の各ユニットに動作電源として供給する電源回路とを具備することを特徴とする。
【発明の効果】
【００１２】
本発明によれば、再送信装置を山間部の高台など商用電源が設備されていない場所に設置する場合であっても、電源線を設置することなく動作電源を確保でき、再送信装置を正常に作動させることができる。
【図面の簡単な説明】
【００１３】
【図１】本発明の実施例１に係る再送信システムの全体の概略構成を示すシステム構成図である。
【図２】同実施例１における再送信装置の詳細な構成を示すブロック図である。
【発明を実施するための形態】
【００１４】
以下、本発明の実施の形態について図面を参照して詳細に説明する。
【実施例１】
【００１５】
図１は本発明の実施例１に係る再送信システムの全体の概略構成を示すシステム構成図である。
【００１６】
図１において、１は地上デジタル放送波を受信するアンテナ、２はアンテナ１で受信した地上デジタル放送波をアナログ放送波に変換して再送信する共同視聴設備の再送信装置である。この再送信装置２は、例えば山間部の山頂など、商用電源の設備の無い場所に設置される。
【００１７】
上記再送信装置２から再送信されるアナログ放送波は、伝送ライン例えば同軸ケーブル３を介してアナログテレビ放送を受信する家４ａ、４ｂ、…等へ送られる。この場合、同軸ケーブル３には、商用電源６の設備のある場所、商用電源６を調達できる場所において、再送信信号に交流電源を重畳する電源重畳器５を設けると共に、この電源重畳器５に交流電源を供給する電源装置７を設ける。この電源装置７は、上記の商用電源６を例えば電気設備の技術基準を定める省令に従ってＡＣ９０ＶあるいはＡＣ６０Ｖの電圧に変換して電源重畳器５に供給する。
【００１８】
電源重畳器５は、コンデンサ５ａ及びチョークコイル５ｂからなり、同軸ケーブル３に直列にコンデンサ５ａを挿入し、電源装置７から供給される交流電源をチョークコイル５ｂを介してコンデンサ５ａの一端、すなわち同軸ケーブル３の再送信装置２側に重畳する。上記コンデンサ５ａは、再送信装置２から送られてくる再送信信号（アナログ放送波）に対しては低インピーダンスとなって伝送するが、電源装置７から供給される交流電源は５０Ｈｚまたは６０Ｈｚであるので高インピーダンスとなって通過を阻止する。また、チョークコイル５ｂは、再送信信号に対しては高インピーダンスとなって伝送を阻止するが、電源装置７から供給される交流電源に対しては低インピーダンスとなる。従って、電源装置７から出力されるＡＣ６０Ｖ等の交流電源はチョークコイル５ｂを介して同軸ケーブル３に供給され、再送信信号の伝送方向とは逆方向に再送信装置２まで伝送される。再送信装置２は、詳細を後述するように電源重畳器５により再送信信号に重畳して送られてくるＡＣ６０Ｖ等の交流電源を所定レベルの直流電圧に変換し、各ユニットに動作電源として供給する。この結果、再送信装置２を設置する場所に商用電源が無くても再送信装置２を正常に作動させることができる。
【００１９】
次に、再送信装置２の詳細な構成を説明する。
【００２０】
図２は再送信装置２の詳細な構成を示すブロック図である。
【００２１】
再送信装置２は、入力分配部１１、デジタル放送復調部１２ａ、１２ｂ、…、アナログ変調部１３ａ、１３ｂ、…、キャリア抽出部１４ａ、１４ｂ、…、及び出力混合部１５により構成される。
【００２２】
入力分配部１１は、アンテナにより受信された地上デジタル放送波（ＵＨＦ）が入力される入力端子３１及びアンテナにより受信されたアナログ放送波が入力される入力端子４１を備えている。
【００２３】
上記入力端子３１に入力された地上デジタル放送波は、分岐回路３２を介してモニタ端子３７に出力されると共に増幅器３３に入力される。増幅器３３は、各地上デジタル放送波を増幅し、例えば３分配の分配器３４及び５分配の分配器３５、３６を介してデジタル放送復調部１２ａ、１２ｂ、…へ出力する。
【００２４】
また、上記入力端子４１に入力されたアナログ放送波は、分岐回路４２を介してモニタ端子４７に出力されると共に増幅器４３に入力される。増幅器４３は、入力端子４１に入力されたアナログ放送波を増幅し、例えば２分配の分配器４４及び５分配の分配器４５、４６を介してキャリア抽出部１４ａ、１４ｂ、…へ出力する。
【００２５】
また、上記入力分配部１１は、増幅器３３で増幅したデジタル放送波を分配器３４によりデジタルパススルー回路１６へ分配する。このデジタルパススルー回路１６は、例えば同軸ケーブルの両端に入力コネクタ及び出力コネクタを備えており、入力分配部１１の端子１７に分配された地上デジタル放送波をそのまま出力混合部１５の端子１８へ接続する。
【００２６】
上記デジタル放送復調部１２ａ、１２ｂ、…は、各地域の地上デジタル放送のチャンネル数に十分対応できるだけの数、例えば１０個のデジタル放送復調部１２ａ〜１２ｊを備えている。上記デジタル放送復調部１２ａ〜１２ｊは、関東地方であれば、例えば２１〜２８、３０、３２チャンネル、すなわちアナログテレビ放送の１、３、４、６、８、１０、１２、１６、３８、４２チャンネルに対応する地上デジタル放送を受信できるように予め設定される。上記各デジタル放送復調部１２ａ〜１２ｊは、その映像信号及び音声信号を復調してそれぞれアナログ変調部１３ａ〜１３ｊへ出力する。
【００２７】
また、キャリア抽出部１４ａ、１４ｂ、…は、デジタル放送復調部１２ａ〜１２ｊに対応する数のキャリア抽出部１４ａ〜１４ｊを備え、各地域におけるアナログ放送の各チャンネルの映像キャリア信号を抽出する。すなわち、ＮＴＳＣ方式では、各チャンネルの下端から１．２５ＭＨｚの位置に映像キャリア信号があるので、これを抽出する。キャリア抽出部１４ａ〜１４ｊは、抽出した各チャンネルの映像キャリア信号を例えば４５．７５ＭＨｚのＩＦ帯の信号に変換し、ＩＦ映像キャリア信号ＩＦｖｃ信号としてアナログ変調部１３ａ〜１３ｊへ供給する。
【００２８】
アナログ変調部１３ａ、１３ｂ、…は、デジタル放送復調部１２ａ〜１２ｊに対応する数のアナログ変調部１３ａ〜１３ｊにより構成される。各アナログ変調部１３ａ〜１３ｊは、それぞれ上記デジタル放送復調部１２ａ〜１２ｊで復調された音声信号を変調するとともに、映像信号を上記キャリア抽出部１４ａ〜１４ｊから供給される上記ＩＦ映像キャリア信号ＩＦｖｃに同期して変調し、更に現用のアナログ放送波と同じ周波数に変換して出力混合部１５へ出力する。
【００２９】
出力混合部１５は、上記各アナログ変調部１３ａ〜１３ｊで変調された各チャンネルのアナログ放送波を混合器５１、５２で混合した後、混合器５３に入力する。また、出力混合部１５は、デジタルパススルー回路１６の端子１８から出力されるデジタル放送波をＵ／Ｖ混合器５４により取り出し、混合器５３に入力する。この場合、Ｕ／Ｖ混合器５４は、ＵＨＦ帯のデジタル放送波を取り出すために用いているので、ＶＨＦ側の端子は負荷抵抗Ｒを介して接地する。上記負荷抵抗Ｒの値は、線路のインピーダンスに合わせて例えば７５Ωに設定される。
【００３０】
上記混合器５３は、混合器５１、５２で混合されたアナログ放送波とＵ／Ｖ混合器５４を介して取り出されたデジタル放送波とを混合し、分岐回路５５及びコンデンサ６０を直列に介して出力端子５６より再送信信号として同軸ケーブル３へ出力する。また、混合器５３から出力されるアナログ放送波とデジタル放送波の混合信号は、分岐回路５５を介して出力モニタ端子５７へ出力される。
【００３１】
また、上記出力端子５６には、図１に示したように電源重畳器５により再送信信号に重畳して送られてくるＡＣ６０Ｖ等の交流電源が供給される。この出力端子５６に供給される交流電源をチョークコイル６１を介して電源回路６２へ出力する。上記コンデンサ６０及びチョークコイル６１は、電源重畳器５から同軸ケーブル３を介して出力端子５６に供給される交流電源を分離する電源分離回路を構成している。上記電源回路６２は、出力端子５６から供給されるＡＣ６０Ｖ等の交流電源を所定レベルの直流電圧に変換し、各ユニットに動作電源として供給する。
【００３２】
上記コンデンサ６０は、アナログ放送波とデジタル放送波が混合された再送信信号に対しては低インピーダンスとなって伝送するが、電源重畳器５から同軸ケーブル３を介して出力端子５６に供給される交流電源（５０Ｈｚまたは６０Ｈｚ）に対しては高インピーダンスとなって通過を阻止する。また、チョークコイル６１は、再送信信号に対しては高インピーダンスとなって伝送を阻止するが、電源重畳器５から同軸ケーブル３を介して出力端子５６に供給される交流電源に対しては低インピーダンスとなる。この結果、上記混合器５３から出力される再送信信号は、分岐回路５５及びコンデンサ６０を介して出力端子５６より同軸ケーブル３へ出力され、また、電源重畳器５から同軸ケーブル３を介して出力端子５６に供給される交流電源は、チョークコイル６１を介して電源回路６２に供給される。従って、電源回路６２は、上記したように出力端子５６から供給されるＡＣ６０Ｖ等の交流電源を所定レベルの直流電圧に変換し、各ユニットに動作電源として供給する。
【００３３】
上記のように再送信装置２から出力される再送信信号を伝送する同軸ケーブル３に対し、商用電源６を調達できる場所において、電源重畳器５及びこの電源重畳器５に商用電源をＡＣ９０Ｖ以下の交流電源に変換して供給する電源装置７を設け、この電源装置７により変換した交流電源を電源重畳器５により再送信信号に重畳し、同軸ケーブル３を介して再送信装置２に伝送することにより、再送信装置２を山間部の高台など商用電源が無い場所に設置する場合であっても、電源線を設置することなく動作電源を確保でき、再送信装置２を正常に作動させることができる。
【００３４】
なお、本発明は、上記実施の形態そのままに限定されるものではなく、実施段階ではその要旨を逸脱しない範囲で構成要素を変形して具体化できるものである。
【符号の説明】
【００３５】
１…アンテナ、２…再送信装置、３…同軸ケーブル、４ａ、４ｂ…アナログ放送波を受信する家、５…電源重畳器、５ａ…コンデンサ、５ｂ…チョークコイル、６…商用電源、７…電源装置、１０…再送信装置、１１…入力分配部、１２ａ〜１２ｊ…デジタル放送復調部、１３ａ〜１３ｊ…アナログ変調部、１４ａ〜１４ｊ…キャリア抽出部、１５…出力混合部、１６…デジタルパススルー回路、３１…入力端子、３２…分岐回路、３３…増幅器、３４〜３６…分配器、４１…入力端子、４２…分岐回路、４３…増幅器、４４〜４６…分配器、４７…モニタ端子、５１〜５３…混合器、５４…Ｕ／Ｖ混合器、５５…分岐回路、５６…出力端子、６０…コンデンサ、６１…チョークコイル、６２…電源回路。
【図１】
2010288152.tif 000003
【図２】
2010288152.tif 000004